(57)【要約】本発明は、ソーラーパネル間を接続するターンオフ制御方法を公開し、隣接する２つのソーラーパネル間の電流搬送線上に、発明に記載の機能のコネクタ（以下、コネクタという）が設けられ、コネクタ内に信号処理システム、電源供給システム、制御回路および電子スイッチ素子が設けられている。信号発生器は、信号を前記電流搬送線に入力し、信号処理システムは、信号を分離し、一部の信号を、電流搬送線に沿って継続して前に搬送して、電流搬送線上の他のコネクタに伝達し、別の一部の信号を、制御信号と電源信号とに分け、前記制御信号が、前記制御回路を経て電子スイッチ素子のオン／オフを制御し、前記電源信号を、前記電源供給システムに搬送して、制御回路の電源とし、前記電子スイッチ素子を、電流搬送線上に設ける。本発明で設計するシャットダウン方法は、クローズドループ単一バスの通信方式を採用してコネクタのスイッチ動作実行信号とし、取り付け、デバッギング、保守、交換に便利である。
2021530185.tif 000002
【特許請求の範囲】
【請求項１】
１本の電流搬送線を介して複数のソーラーパネルを直列接続し、隣接する２つのソーラーパネル間の電流搬送線上にコネクタが設けられて、ソーラーパネル間を接続するターンオフ制御方法であって、
前記コネクタ内に信号処理システム、電源供給システム、制御回路および電子スイッチ素子を設け、
信号発生器は、信号を前記電流搬送線に入力し、前記信号処理システムは、信号を分離し、一部の信号を、前記電流搬送線に沿って継続して前に搬送して、前記電流搬送線上の他のコネクタに伝達し、別の一部の信号を、制御信号と電源信号とに分け、前記制御信号が、前記制御回路を経て前記電子スイッチ素子のオン／オフを制御し、前記電源信号を、前記電源供給システムに搬送して、前記制御回路の電源とし、
前記電子スイッチ素子を、前記電流搬送線上に設けることを特徴とするターンオフ制御方法。
【請求項２】
前記コネクタ内に、前記電子スイッチ素子に並列接続された高周波信号バイパス回路が設けられていることを特徴とする請求項１に記載のターンオフ制御方法。
【請求項３】
前記コネクタ内に、前記電子スイッチ素子に並列接続された過電圧保護回路が設けられていることを特徴とする請求項１に記載のターンオフ制御方法。
【請求項４】
前記信号処理システムは、ＬＣ共振アセンブリと、ＤＣブロッキングキャパシタと、信号検出・増幅回路とを含み、
前記ＬＣ共振アセンブリは、前記電流搬送線上に設けられ、前記ＤＣブロッキングキャパシタは、前記信号検出・増幅回路に直列接続され、さらに前記ＬＣ共振アセンブリに並列接続され、前記信号検出・増幅回路は、前記制御回路及び前記電源供給システムに接続されていることを特徴とする請求項１に記載のターンオフ制御方法。
【請求項５】
前記コネクタの信号通信方式が、信号を前記電流搬送線にロードするクローズドループ単一バス通信方式であることを特徴とする請求項４に記載のターンオフ制御方法。
【請求項６】
前記電子スイッチ素子がＭＯＳトランジスタであることを特徴とする請求項１に記載のターンオフ制御方法。
【請求項７】
前記コネクタが、外部構造において、正１つ、負１つの２つのプラグのみを引き出すことを特徴とする請求項１に記載のターンオフ制御方法。
【発明の詳細な説明】
【技術分野】
【０００１】
本発明は、光起電力技術分野に関する。
【背景技術】
【０００２】
現在、北米地区ですでに実施が始まっている国際電気標準会議が公布したＮＥＣ  ２０１７．６９０．１２の分散型太陽光発電ネットワークの新しい安全基準では、ストリングインバータの入力端バス区分開閉器を切断した後、その前端の太陽光発電ストリング間の各接続も自動的に切断する必要があり、太陽光発電ストリングのどの節点のグランド電圧も８０Ｖを超えてはならないと規定している。
【０００３】
そのため、多くの太陽光発電アセンブリまたは組付部材の生産企業は、この方面の適用製品を設計しているが、大部分の手法は、いずれもシャットダウン可能なジャンクションボックスの形式を採用している。
【０００４】
この種の方式は、設計が容易であり、機能の実現が比較的便利であるが、ユーザの使い勝手はあまりよくなく、アセンブリの完成品の出力および品質を測定する際に、シャットダウン機能付きのジャンクションボックスには多くの不便さがある。
【０００５】
今後の使用中にジャンクションボックスに障害が現れた場合、適切な技術および専用の工具がなければ、パネル全体を交換する必要がある。
【０００６】
上述した技術的課題を解決するため、２つが光起電力搬送電流線プラグであり、他の２つが補助通信・機能線プラグである４つの接続プラグを有する構造である、シャットダウン可能なコネクタを開発している企業がある。
【０００７】
この種の構造のシャットダウン可能なコネクタは、使用中に、取り付けがやや複雑で面倒なだけでなく、ストリング回路と同等の長さの補助ケーブルを配線する必要があるため、ユーザの人気があまり高くならないであろうことが予見される。
【発明の概要】
【０００８】
発明が解決しようとする課題は、補助線を取り消した状況の下で、１本の太陽光発電ストリングの電流搬送線のみで、すべてのコネクタの同時スイッチ機能を実現することである。
【０００９】
上述した技術的課題を解決するため、本発明は以下の技術手法を提供する。
【００１０】
ソーラーパネル間を接続するターンオフ制御方法は、１本の電流搬送線を介して複数のソーラーパネルを直列接続し、隣接する２つのソーラーパネル間の電流搬送線上にコネクタを設け、コネクタ内に信号処理システム、電源供給システム、制御回路および電子スイッチ素子を設けるものである。
【００１１】
そして、信号発生器は、信号を前記電流搬送線に入力し、信号処理システムは、信号を分離し、一部の信号を、電流搬送線に沿って継続して前に搬送して、電流搬送線上の他のコネクタに伝達し、別の一部の信号を、制御信号と電源信号とに分け、前記制御信号が、前記制御回路を経て電子スイッチ素子のオン／オフを制御し、前記電源信号を、前記電源供給システムに搬送して、制御回路の電源とし、前記電子スイッチ素子を、電流搬送線上に設ける。
【００１２】
本発明で設計するシャットダウン方法に係るコネクタは、正負の２つの接続プラグしかなく、２枚の通常のソーラーパネルの間に直接挿入することにより、ターンオフ制御機能を実現することができる。
【００１３】
本発明で設計するシャットダウン方法は、クローズドループ単一バスの通信方式を採用してコネクタのスイッチ動作実行信号とする。この種の通信は、１つのストリングループの中でのみ動作するため、同じインバータ負荷を別のストリングと共有しても、信号が隣のストリングに入り込み制御干渉をもたらすことがない。
【００１４】
コネクタ内部において、損失なしに直流大電流を流すことが可能な信号処理システムを採用し、ローパスの電子スイッチ素子を用いており、コネクタは、オン状態で０．３Ｗ以下という極めて低い消費電力を実現することができる。
【００１５】
コネクタ内部において、１セットの信号で周波数選択・共振昇圧する回路があり、電源供給システムを形成し、これを内部電子回路の動作電源とすることにより、外部給電のないブートストラップ電源動作環境を実現する。
【００１６】
本方法に係るコネクタは、取り付け、デバッギング、保守、交換が便利なだけでなく、販売価格も先行技術におけるジャンクションボックスよりも優勢である。
【図面の簡単な説明】
【００１７】
以下、図面と合わせて本発明についてさらに説明する。
【００１８】
【図１】本発明に記載のシャットダウン方法に係るコネクタの内部回路図である。
【発明を実施するための形態】
【００１９】
このソーラーパネル間を接続するターンオフ制御方法では、１本の電流搬送線を介して複数のソーラーパネルを直列接続し、隣接する２つのソーラーパネル間の電流搬送線上にコネクタを設ける。
【００２０】
図１に示すように、前記コネクタ内に信号処理システム、電源供給システム、制御回路および電子スイッチ素子が設けられている。
【００２１】
そして、信号発生器は、信号を前記電流搬送線に入力し、信号処理システムは、信号を分離し、一部の信号を、電流搬送線に沿って継続して前に搬送して、電流搬送線上の他のコネクタに伝達し、別の一部の信号を、制御信号と電源信号とに分け、前記制御信号が、前記制御回路を経て電子スイッチ素子のオン／オフを制御し、前記電源信号を、前記電源供給システムに搬送して、制御回路の電源とし、前記電子スイッチ素子を、電流搬送線上に設ける。
【００２２】
前記信号処理システムは、ＬＣ共振アセンブリ４と、ＤＣブロッキングキャパシタ２と、信号検出・増幅回路３とを含む。
【００２３】
ＬＣ共振アセンブリは、前記電流搬送線上に設けられ、ＤＣブロッキングキャパシタは、前記信号検出・増幅回路に直列接続され、さらに共振アセンブリに並列接続されている。
【００２４】
前記信号検出・増幅回路は、前記スイッチ制御回路６と、前記電源供給システムとに接続されている。
【００２５】
前記信号検出・増幅回路は、先行技術における信号検出回路と信号増幅回路との結合であり、信号検出回路は、信号選別回路であり、信号増幅回路は、信号拡大回路である。
【００２６】
前記信号検出・増幅回路は、公開番号ＣＮ１５７８１２３Ａの特許文献に記載の信号検出機能を有する増幅回路を選択することができる。
【００２７】
前記ＤＣブロッキングキャパシタは、直流をブロックできるキャパシタである。前記スイッチ制御回路は、公開番号ＣＮ２０６３４９９７９Ｕの特許文献に記載の新型ＭＯＳトランジスタスイッチ制御回路、または、公開番号ＣＮ１０７９６７０２１Ａの特許文献に記載のＭＯＳトランジスタ駆動電圧の制御回路を選択することができる。
【００２８】
前記電源供給システムは、前記信号検出・増幅回路に接続されたダイオードおよびエネルギー蓄積キャパシタ５を含む。ダイオードは、信号検出・増幅回路３からの信号を整流して電圧を安定化させ、ダイオードの信号を前記エネルギー蓄積キャパシタに入れ、後段の制御回路の動作を保証する。
【００２９】
１つの選択として、電子スイッチ素子７は、ＭＯＳトランジスタ、すなわちＭＯＳ型パワースイッチトランジスタである。ＭＯＳトランジスタのゲートは、制御回路６に接続されている。
【００３０】
コネクタ内には、電子スイッチ素子７に並列接続された高周波信号バイパス回路が設けられている。前記バイパス回路は、ＭＯＳトランジスタに並列接続され、キャパシタ１０を有している。このバイパス回路は、ＭＯＳトランジスタが導通していないときの信号に対するバイパス通路となる。
【００３１】
コネクタ内には、電子スイッチ素子７に並列接続された過電圧保護回路が設けられている。具体的には、ＭＯＳトランジスタのドレイン・ソース間に、高耐圧、大電流の双方向サイリスタ８が並列接続されている。選択可能な改善として、ＭＯＳトランジスタのドレイン・ソース間に、さらに、過電圧で自動的に導通をトリガする素子９、例えば、双方向トリガダイオードが設けられており、ＭＯＳトランジスタがシャットダウンプロセスにおいて絶縁破壊されるリスクを防止する。
【００３２】
実際の操作において、複数のソーラーパネルが１つの電流搬送線によって１つの太陽光発電ストリングを構成し、隣接する２つのソーラーパネル間の電流搬送線上にコネクタが設けられている。ソーラーパネル間のコネクタを切断する必要があるとき、電流搬送線に接続された信号発生器が電流搬送線に信号を送り、信号がコネクタの負極１から入り、ＬＣ共振アセンブリ４に流れる。ＬＣ共振アセンブリを通過するときに、高周波信号に対するＬＣ共振アセンブリの阻害作用により、一部の信号が分流し、ＤＣブロッキングキャパシタ２を経て、信号検出・増幅回路３に入る。信号検出・増幅回路が信号を選別し増幅した後、一部の信号が後段の制御回路６に送られ、別の一部の信号が整流され電圧が安定化され、エネルギー蓄積キャパシタ５に入り、制御回路に給電される。制御回路は、適合する導通コマンドを受け取った後、ＭＯＳトランジスタのゲートに導通電圧を出力し、この電子スイッチ素子７を導通させる。太陽光発電ストリングのすべてのコネクタが導通したとき、太陽光発電ストリングが外部の負荷に給電することができる。
【００３３】
そうでない場合、例えば、制御回路が受け取ったものがシャットダウンコマンドである場合、または、適合する導通コマンドを受け取っていない場合、ＭＯＳトランジスタがシャットダウンし、太陽光発電ストリングの電流搬送線が切断される。
【００３４】
電子スイッチ素子７のシャットダウンプロセスにおいて、両端に危険な高圧が現れた場合、シリコン制御整流子（双方向サイリスタ８）が速やかに導通して過電圧をバイパス保護することができ、このストリング回路が完全に閉じた後、シリコン制御整流子が維持電流を失い、開回路状態を自動的に回復する。
【００３５】
本発明は、設計上、いくつかの大きな技術的難題を克服している。
【００３６】
第１に、補助線がない状況の下で、コネクタ内部の電子素子をシャットダウンすることができる動作電源はどこから来るのかである。そして、電子スイッチ素子に必要な制御を達成することができるかどうかである。
【００３７】
第２に、補助線がない状況の下で、１本の太陽光発電ストリングの電流搬送線のみで、スイッチ制御の通信信号はどのように進むかである。そして、１本の導線から制御信号を抽出し、直流電流の電圧降下を最小限に保証することをどのように実現するかである。
【００３８】
第３に、各コネクタ内部の電子スイッチ素子がシャットダウン動作を行う際に、切断時間が完全に一致することは不可能であり、最初に切断されるコネクタ内部で高いシャットダウン電圧を受けることにより、スイッチ素子が絶縁破壊される。この種のシャットダウン可能なコネクタを設計するには、電子スイッチ素子の過電圧自動保護機能を解決する必要がある。
【００３９】
本発明の設計において、単一回路バスという通信技術を採用しており、この種の通信は、１つのストリングループの中でのみ動作するため、同じインバータ負荷を別のストリングと共有しても、信号が隣のストリングに入り込むことがない。
【００４０】
上記説明は、図面および先行技術を組み合わせ、本特許出願に記載の技術手法を実現することができ、信号発生器は、単独で制御することができ、異なるスイッチ制御信号を送り、電子スイッチ素子のオン／オフを制御する。
【００４１】
本特許出願の応用または想定として、シャットダウンが可能なコネクタを採用した太陽光発電ストリング回路に、すべてのシャットダウン可能なコネクタに対してスマート管理を行い、スイッチ制御コマンド信号を送信するメインコントロールモジュールを取り付け、このモジュールは、ストリング回路がクローズドループであるか開回路であるか、交流ネットワークの電圧の有無を自動的に検出することができ、さらに、現場のパネルの手作業での干渉制御またはリモート通信制御を実現することができる。
【００４２】
以上の内容は、本発明の好ましい実施形態でしかなく、当業者にとって、本発明の構想により、具体的な実施形態および適用範囲の上でいずれも変更可能な箇所があり、本明細書の内容は、本発明に対する制限として理解すべきではない。
【符号の説明】
【００４３】
１、コネクタ負極
２、ＤＣブロッキングキャパシタ
３、信号検出・増幅回路
４、ＬＣ共振アセンブリ
５、エネルギー蓄積キャパシタ
６、スイッチ制御回路
７、電子スイッチ素子
８、双方向サイリスタ
９、過電圧トリガ導通素子
１０、高周波信号バイパスキャパシタ
１１、コネクタ正極
【図１】
2021530185.tif 000003
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
１本の電流搬送線を介して複数のソーラーパネルを直列接続し、隣接する２つのソーラーパネル間の電流搬送線上にコネクタが設けられて、ソーラーパネル間を接続するターンオフ制御方法であって、
前記コネクタ内に信号処理システム、電源供給システム、制御回路および電子スイッチ素子を設け、
信号発生器は、信号を前記電流搬送線に入力し、前記信号処理システムは、信号を分離し、一部の信号を、前記電流搬送線に沿って継続して前に搬送して、前記電流搬送線上の他のコネクタに伝達し、別の一部の信号を、制御信号と電源信号とに分け、前記制御信号が、前記制御回路を経て前記電子スイッチ素子のオン／オフを制御し、前記電源信号を、前記電源供給システムに搬送して、前記制御回路の電源とし、
前記電子スイッチ素子を、前記電流搬送線上に設けることを特徴とするターンオフ制御方法。
【請求項２】
前記コネクタ内に、前記電子スイッチ素子に並列接続された高周波信号バイパス回路が設けられていることを特徴とする請求項１に記載のターンオフ制御方法。
【請求項３】
前記コネクタ内に、前記電子スイッチ素子に並列接続された過電圧保護回路が設けられていることを特徴とする請求項１に記載のターンオフ制御方法。
【請求項４】
前記信号処理システムは、ＬＣ共振アセンブリと、ＤＣブロッキングキャパシタと、信号検出・増幅回路とを含み、
前記ＬＣ共振アセンブリは、前記電流搬送線上に設けられ、前記ＤＣブロッキングキャパシタは、前記信号検出・増幅回路に直列接続され、さらに前記ＬＣ共振アセンブリに並列接続され、前記信号検出・増幅回路は、前記制御回路及び前記電源供給システムに接続されていることを特徴とする請求項１に記載のターンオフ制御方法。
【請求項５】
前記コネクタの信号通信方式が、信号を前記電流搬送線にロードするクローズドループ単一バス通信方式であることを特徴とする請求項４に記載のターンオフ制御方法。
【請求項６】
前記電子スイッチ素子がＭＯＳトランジスタであることを特徴とする請求項１に記載のターンオフ制御方法。
【請求項７】
前記コネクタが、外部構造において、正１つ、負１つの２つのプラグのみを引き出すことを特徴とする請求項１に記載のターンオフ制御方法。
【請求項８】
１本の電流搬送線を介して複数のソーラーパネルが直列接続され、隣接する２つのソーラーパネル間の電流搬送線上にコネクタが設けられて、ソーラーパネル間が接続されたターンオフ制御構造であって、
前記コネクタ内に信号処理システム、電源供給システム、制御回路および電子スイッチ素子が設けられ、
信号発生器は、信号を前記電流搬送線に入力し、前記信号処理システムは、信号を分離し、一部の信号を、前記電流搬送線に沿って継続して前に搬送して、前記電流搬送線上の他のコネクタに伝達し、別の一部の信号を、制御信号と電源信号とに分け、前記制御信号が、前記制御回路を経て前記電子スイッチ素子のオン／オフを制御し、前記電源信号を、前記電源供給システムに搬送して、前記制御回路の電源とし、
前記電子スイッチ素子が、前記電流搬送線上に設けられていることを特徴とするターンオフ制御構造。
【請求項９】
前記コネクタ内に、前記電子スイッチ素子に並列接続された高周波信号バイパス回路が設けられていることを特徴とする請求項８に記載のターンオフ制御構造。
【請求項１０】
前記コネクタ内に、前記電子スイッチ素子に並列接続された過電圧保護回路が設けられていることを特徴とする請求項８に記載のターンオフ制御構造。
【請求項１１】
前記信号処理システムは、ＬＣ共振アセンブリと、ＤＣブロッキングキャパシタと、信号検出・増幅回路とを含み、
前記ＬＣ共振アセンブリは、前記電流搬送線上に設けられ、前記ＤＣブロッキングキャパシタは、前記信号検出・増幅回路に直列接続され、さらに前記ＬＣ共振アセンブリに並列接続され、前記信号検出・増幅回路は、前記制御回路及び前記電源供給システムに接続されていることを特徴とする請求項８に記載のターンオフ制御構造。
【請求項１２】
前記コネクタの信号通信方式が、信号を前記電流搬送線にロードするクローズドループ単一バス通信方式であることを特徴とする請求項１１に記載のターンオフ制御構造。
【請求項１３】
前記電子スイッチ素子がＭＯＳトランジスタであることを特徴とする請求項８に記載のターンオフ制御構造。
【請求項１４】
前記コネクタが、外部構造において、正１つ、負１つの２つのプラグのみを引き出すことを特徴とする請求項８に記載のターンオフ制御構造。
【手続補正２】
【補正対象書類名】明細書
【補正対象項目名】全文
【補正方法】変更
【補正の内容】
【発明の詳細な説明】
【技術分野】
【０００１】
本発明は、光起電力技術分野に関する。
【背景技術】
【０００２】
現在、北米地区ですでに実施が始まっている国際電気標準会議が公布したＮＥＣ  ２０１７．６９０．１２の分散型太陽光発電ネットワークの新しい安全基準では、ストリングインバータの入力端バス区分開閉器を切断した後、その前端の太陽光発電ストリング間の各接続も自動的に切断する必要があり、太陽光発電ストリングのどの節点のグランド電圧も８０Ｖを超えてはならないと規定している。
【０００３】
そのため、多くの太陽光発電アセンブリまたは組付部材の生産企業は、この方面の適用製品を設計しているが、大部分の手法は、いずれもシャットダウン可能なジャンクションボックスの形式を採用している。
【０００４】
この種の方式は、設計が容易であり、機能の実現が比較的便利であるが、ユーザの使い勝手はあまりよくなく、アセンブリの完成品の出力および品質を測定する際に、シャットダウン機能付きのジャンクションボックスには多くの不便さがある。
【０００５】
今後の使用中にジャンクションボックスに障害が現れた場合、適切な技術および専用の工具がなければ、パネル全体を交換する必要がある。
【０００６】
上述した技術的課題を解決するため、２つが光起電力搬送電流線プラグであり、他の２つが補助通信・機能線プラグである４つの接続プラグを有する構造である、シャットダウン可能なコネクタを開発している企業がある。
【０００７】
この種の構造のシャットダウン可能なコネクタは、使用中に、取り付けがやや複雑で面倒なだけでなく、ストリング回路と同等の長さの補助ケーブルを配線する必要があるため、ユーザの人気があまり高くならないであろうことが予見される。
【発明の概要】
【０００８】
発明が解決しようとする課題は、補助線を取り消した状況の下で、１本の太陽光発電ストリングの電流搬送線のみで、すべてのコネクタの同時スイッチ機能を実現することである。
【０００９】
上述した技術的課題を解決するため、本発明は以下の技術手法を提供する。
【００１０】
ソーラーパネル間を接続するターンオフ制御方法及びターンオフ制御構造は、１本の電流搬送線を介して複数のソーラーパネルを直列接続し、隣接する２つのソーラーパネル間の電流搬送線上にコネクタを設け、コネクタ内に信号処理システム、電源供給システム、制御回路および電子スイッチ素子を設けるものである。
【００１１】
そして、信号発生器は、信号を前記電流搬送線に入力し、信号処理システムは、信号を分離し、一部の信号を、電流搬送線に沿って継続して前に搬送して、電流搬送線上の他のコネクタに伝達し、別の一部の信号を、制御信号と電源信号とに分け、前記制御信号が、前記制御回路を経て電子スイッチ素子のオン／オフを制御し、前記電源信号を、前記電源供給システムに搬送して、制御回路の電源とし、前記電子スイッチ素子を、電流搬送線上に設ける。
【００１２】
本発明で設計するシャットダウン方法に係るコネクタは、正負の２つの接続プラグしかなく、２枚の通常のソーラーパネルの間に直接挿入することにより、ターンオフ制御機能を実現することができる。
【００１３】
本発明で設計するシャットダウン方法は、クローズドループ単一バスの通信方式を採用してコネクタのスイッチ動作実行信号とする。この種の通信は、１つのストリングループの中でのみ動作するため、同じインバータ負荷を別のストリングと共有しても、信号が隣のストリングに入り込み制御干渉をもたらすことがない。
【００１４】
コネクタ内部において、損失なしに直流大電流を流すことが可能な信号処理システムを採用し、ローパスの電子スイッチ素子を用いており、コネクタは、オン状態で０．３Ｗ以下という極めて低い消費電力を実現することができる。
【００１５】
コネクタ内部において、１セットの信号で周波数選択・共振昇圧する回路があり、電源供給システムを形成し、これを内部電子回路の動作電源とすることにより、外部給電のないブートストラップ電源動作環境を実現する。
【００１６】
本方法に係るコネクタは、取り付け、デバッギング、保守、交換が便利なだけでなく、販売価格も先行技術におけるジャンクションボックスよりも優勢である。
【図面の簡単な説明】
【００１７】
以下、図面と合わせて本発明についてさらに説明する。
【００１８】
【図１】本発明に記載のシャットダウン方法に係るコネクタの内部回路図である。
【発明を実施するための形態】
【００１９】
このソーラーパネル間を接続するターンオフ制御方法では、１本の電流搬送線を介して複数のソーラーパネルを直列接続し、隣接する２つのソーラーパネル間の電流搬送線上にコネクタを設ける。
【００２０】
図１に示すように、前記コネクタ内に信号処理システム、電源供給システム、制御回路および電子スイッチ素子が設けられている。
【００２１】
そして、信号発生器は、信号を前記電流搬送線に入力し、信号処理システムは、信号を分離し、一部の信号を、電流搬送線に沿って継続して前に搬送して、電流搬送線上の他のコネクタに伝達し、別の一部の信号を、制御信号と電源信号とに分け、前記制御信号が、前記制御回路を経て電子スイッチ素子のオン／オフを制御し、前記電源信号を、前記電源供給システムに搬送して、制御回路の電源とし、前記電子スイッチ素子を、電流搬送線上に設ける。
【００２２】
前記信号処理システムは、ＬＣ共振アセンブリ４と、ＤＣブロッキングキャパシタ２と、信号検出・増幅回路３とを含む。
【００２３】
ＬＣ共振アセンブリは、前記電流搬送線上に設けられ、ＤＣブロッキングキャパシタは、前記信号検出・増幅回路に直列接続され、さらに共振アセンブリに並列接続されている。
【００２４】
前記信号検出・増幅回路は、前記スイッチ制御回路６と、前記電源供給システムとに接続されている。
【００２５】
前記信号検出・増幅回路は、先行技術における信号検出回路と信号増幅回路との結合であり、信号検出回路は、信号選別回路であり、信号増幅回路は、信号拡大回路である。
【００２６】
前記信号検出・増幅回路は、公開番号ＣＮ１５７８１２３Ａの特許文献に記載の信号検出機能を有する増幅回路を選択することができる。
【００２７】
前記ＤＣブロッキングキャパシタは、直流をブロックできるキャパシタである。前記スイッチ制御回路は、公開番号ＣＮ２０６３４９９７９Ｕの特許文献に記載の新型ＭＯＳトランジスタスイッチ制御回路、または、公開番号ＣＮ１０７９６７０２１Ａの特許文献に記載のＭＯＳトランジスタ駆動電圧の制御回路を選択することができる。
【００２８】
前記電源供給システムは、前記信号検出・増幅回路に接続されたダイオードおよびエネルギー蓄積キャパシタ５を含む。ダイオードは、信号検出・増幅回路３からの信号を整流して電圧を安定化させ、ダイオードの信号を前記エネルギー蓄積キャパシタに入れ、後段の制御回路の動作を保証する。
【００２９】
１つの選択として、電子スイッチ素子７は、ＭＯＳトランジスタ、すなわちＭＯＳ型パワースイッチトランジスタである。ＭＯＳトランジスタのゲートは、制御回路６に接続されている。
【００３０】
コネクタ内には、電子スイッチ素子７に並列接続された高周波信号バイパス回路が設けられている。前記バイパス回路は、ＭＯＳトランジスタに並列接続され、キャパシタ１０を有している。このバイパス回路は、ＭＯＳトランジスタが導通していないときの信号に対するバイパス通路となる。
【００３１】
コネクタ内には、電子スイッチ素子７に並列接続された過電圧保護回路が設けられている。具体的には、ＭＯＳトランジスタのドレイン・ソース間に、高耐圧、大電流の双方向サイリスタ８が並列接続されている。選択可能な改善として、ＭＯＳトランジスタのドレイン・ソース間に、さらに、過電圧で自動的に導通をトリガする素子９、例えば、双方向トリガダイオードが設けられており、ＭＯＳトランジスタがシャットダウンプロセスにおいて絶縁破壊されるリスクを防止する。
【００３２】
実際の操作において、複数のソーラーパネルが１つの電流搬送線によって１つの太陽光発電ストリングを構成し、隣接する２つのソーラーパネル間の電流搬送線上にコネクタが設けられている。ソーラーパネル間のコネクタを切断する必要があるとき、電流搬送線に接続された信号発生器が電流搬送線に信号を送り、信号がコネクタの負極１から入り、ＬＣ共振アセンブリ４に流れる。ＬＣ共振アセンブリを通過するときに、高周波信号に対するＬＣ共振アセンブリの阻害作用により、一部の信号が分流し、ＤＣブロッキングキャパシタ２を経て、信号検出・増幅回路３に入る。信号検出・増幅回路が信号を選別し増幅した後、一部の信号が後段の制御回路６に送られ、別の一部の信号が整流され電圧が安定化され、エネルギー蓄積キャパシタ５に入り、制御回路に給電される。制御回路は、適合する導通コマンドを受け取った後、ＭＯＳトランジスタのゲートに導通電圧を出力し、この電子スイッチ素子７を導通させる。太陽光発電ストリングのすべてのコネクタが導通したとき、太陽光発電ストリングが外部の負荷に給電することができる。
【００３３】
そうでない場合、例えば、制御回路が受け取ったものがシャットダウンコマンドである場合、または、適合する導通コマンドを受け取っていない場合、ＭＯＳトランジスタがシャットダウンし、太陽光発電ストリングの電流搬送線が切断される。
【００３４】
電子スイッチ素子７のシャットダウンプロセスにおいて、両端に危険な高圧が現れた場合、シリコン制御整流子（双方向サイリスタ８）が速やかに導通して過電圧をバイパス保護することができ、このストリング回路が完全に閉じた後、シリコン制御整流子が維持電流を失い、開回路状態を自動的に回復する。
【００３５】
本発明は、設計上、いくつかの大きな技術的難題を克服している。
【００３６】
第１に、補助線がない状況の下で、コネクタ内部の電子素子をシャットダウンすることができる動作電源はどこから来るのかである。そして、電子スイッチ素子に必要な制御を達成することができるかどうかである。
【００３７】
第２に、補助線がない状況の下で、１本の太陽光発電ストリングの電流搬送線のみで、スイッチ制御の通信信号はどのように進むかである。そして、１本の導線から制御信号を抽出し、直流電流の電圧降下を最小限に保証することをどのように実現するかである。
【００３８】
第３に、各コネクタ内部の電子スイッチ素子がシャットダウン動作を行う際に、切断時間が完全に一致することは不可能であり、最初に切断されるコネクタ内部で高いシャットダウン電圧を受けることにより、スイッチ素子が絶縁破壊される。この種のシャットダウン可能なコネクタを設計するには、電子スイッチ素子の過電圧自動保護機能を解決する必要がある。
【００３９】
本発明の設計において、単一回路バスという通信技術を採用しており、この種の通信は、１つのストリングループの中でのみ動作するため、同じインバータ負荷を別のストリングと共有しても、信号が隣のストリングに入り込むことがない。
【００４０】
上記説明は、図面および先行技術を組み合わせ、本特許出願に記載の技術手法を実現することができ、信号発生器は、単独で制御することができ、異なるスイッチ制御信号を送り、電子スイッチ素子のオン／オフを制御する。
【００４１】
本特許出願の応用または想定として、シャットダウンが可能なコネクタを採用した太陽光発電ストリング回路に、すべてのシャットダウン可能なコネクタに対してスマート管理を行い、スイッチ制御コマンド信号を送信するメインコントロールモジュールを取り付け、このモジュールは、ストリング回路がクローズドループであるか開回路であるか、交流ネットワークの電圧の有無を自動的に検出することができ、さらに、現場のパネルの手作業での干渉制御またはリモート通信制御を実現することができる。
【００４２】
以上の内容は、本発明の好ましい実施形態でしかなく、当業者にとって、本発明の構想により、具体的な実施形態および適用範囲の上でいずれも変更可能な箇所があり、本明細書の内容は、本発明に対する制限として理解すべきではない。
【符号の説明】
【００４３】
１、コネクタ負極
２、ＤＣブロッキングキャパシタ
３、信号検出・増幅回路
４、ＬＣ共振アセンブリ
５、エネルギー蓄積キャパシタ
６、スイッチ制御回路
７、電子スイッチ素子
８、双方向サイリスタ
９、過電圧トリガ導通素子
１０、高周波信号バイパスキャパシタ
１１、コネクタ正極
【国際調査報告】
2021530185.tif 000004
2021530185.tif 000005
2021530185.tif 000006
2021530185.tif 000007